(57)【要約】【課題】心を込めてギフト贈呈を手軽に行えるギフト贈呈装置、システム及びその方法を提供すること。【解決手段】本方法は、ギフト商品群の選択及び決済を受付けるウエブページのデータを第1の情報通信機に送信するステップと、前記第1の情報通信機に表示される前記ページを介してギフト商品群の選択及び決済を受付けるステップと、選択された前記ギフト商品群の中から商品を選べる権利付きＵＲＬを含む第１の電子メールを、前記第1の情報通信機に送信するステップと、前記ＵＲＬで指定されるウエブページが第２の情報通信機によってアクセスされ、前記ギフト商品群からの所定商品の選択及び該所定商品の届け先の入力を受けて、前記所定商品が前記届け先に発送されることを許可する第４ステップとを含み、前記ＵＲＬを含む前記第１の電子メールが、前記第1の情報通信機から前記第２の情報通信機に転送されることを特徴とする。【選択図】図２
2008191744.tif 000002
【特許請求の範囲】
【請求項１】
ギフト商品群の選択及び決済を受け付けるウエブページのデータを贈呈者の第1の情報通信機に送信する第１ステップと、
前記贈呈者の前記第1の情報通信機に表示される前記ウエブページを介してギフト商品群の選択及び決済を受け付ける第２ステップと、
選択された前記ギフト商品群の中から商品を選べる権利付きＵＲＬを含む第１の電子メールを、前記第1の情報通信機に送信する第３ステップと、
前記権利付きＵＲＬで指定されるウエブページが受取人の第２の情報通信機によってアクセスされ、前記ギフト商品群からの所定商品の選択及び該所定商品の届け先の入力を受けて、選択された前記所定商品が前記届け先に発送されることを許可する第４ステップと、を含み、
前記権利付きＵＲＬを含む前記第１の電子メールが、前記第1の情報通信機から前記第２の情報通信機に転送されることを特徴とするギフト贈呈方法。
【請求項２】
前記第1の情報通信機が、携帯端末であることを特徴とする請求項１に記載のギフト贈呈方法。
【請求項３】
前記受取人の前記届け先の入力を受けて、確認兼商品発送通知の第２の電子メールを前記第1及び第２の情報通信機に送信する第５ステップをさらに含むことを特徴とする請求項１又は２に記載のギフト贈呈方法。
【請求項４】
前記贈呈者によって前記ギフト商品群の選択及び決済がなされる際に、前記ギフト商品群に含まれる商品の選択可能期限を設定する第６ステップと、
前記選択可能期限が経過する前に前記権利付きＵＲＬで指定されるウエブページがアクセスされたとき、前記ギフト群に含まれる商品の選択を許可し、前記選択可能期限が経過した後に前記権利付きＵＲＬで指定されるウエブページがアクセスされたとき、前記ギフト群に含まれる商品の選択を許可しない第７ステップをさらに含むことを特徴とする請求項１〜３の何れか１項に記載のギフト贈呈方法。
【請求項５】
前記選択可能期限から所定期間前に、前記贈呈者に前記選択可能期限が近づいていることを知らせる第８ステップをさらに含むことを特徴とする請求項４に記載のギフト贈呈方法。
【請求項６】
ギフト商品群の選択、決済、閲覧、及び届け先の入力を受け付けるウエブページのデータを贈呈者の第1の情報通信機及び／又は受取人の第２の情報通信機に送信するホスト手段と、
前記贈呈者の前記第1の情報通信機に表示される前記ウエブページを介してギフト商品群の選択及び決済を受けて、選択された前記ギフト商品群の中から商品を選べる権利付きＵＲＬを含む第１の電子メールを、前記第1の情報通信機に送信し、前記権利付きＵＲＬで指定されるウエブページが前記受取人の前記第２の情報通信機によってアクセスされ、前記ギフト商品群の中からの所定商品の選択及び該所定商品の届け先の入力を受けて、確認兼商品発送通知の第２の電子メールを前記第1及び第２の情報通信機に送信する送信手段と、
選択された前記所定商品が前記届け先に発送されることを許可する制御手段と、を備え、
前記権利付きＵＲＬを含む前記第１の電子メールが、前記第1の情報通信機から前記第２の情報通信機に転送されることを特徴とすることを特徴とするギフト贈呈装置。
【請求項７】
前記第1の情報通信機が、携帯端末であることを特徴とする請求項６に記載のギフト贈呈装置。
【請求項８】
贈呈者の第1の情報通信機と、
受取人の第２の情報通信機と、
ギフト商品群の選択、決済、閲覧、及び届け先の入力を受け付けるウエブページのデータを贈呈者の第1の情報通信機及び／又は受取人の第２の情報通信機に送信するホスト手段、
前記贈呈者の前記第1の情報通信機に表示される前記ウエブページを介してギフト商品群の選択及び決済を受けて、選択された前記ギフト商品群の中から商品を選べる権利付きＵＲＬを含む第１の電子メールを、前記第1の情報通信機に送信し、前記権利付きＵＲＬで指定されるウエブページが前記受取人の前記第２の情報通信機によってアクセスされ、前記ギフト商品群の中からの所定商品の選択及び該所定商品の届け先の入力を受けて、確認兼商品発送通知の第２の電子メールを前記第1及び第２の情報通信機に送信する送信手段、及び、
選択された前記所定商品が前記届け先に発送されることを許可する制御手段を備えたコンピュータと、を備え、
前記権利付きＵＲＬを含む前記第１の電子メールが、前記第1の情報通信機から前記第２の情報通信機に転送されることを特徴とするギフト贈呈システム。
【請求項９】
前記第1の情報通信機が、携帯端末であることを特徴とする請求項８に記載のギフト贈呈システム。
【発明の詳細な説明】
【技術分野】
【０００１】
本発明は、情報通信機、特に携帯端末の電子メール機能を利用したギフト贈呈装置、ギフト贈呈システム及びその方法に関する。
【背景技術】
【０００２】
従来、コンピュータを用いたギフト贈呈システムが知られている。例えば、下記特許文献１では、ギフト贈呈者が、ギフト販売装置のＵＲＬ、ＩＤ、パスワード、価値度数などの情報が印字されたギフトカードを購入し、受取人に送付する。そして、受取人は、ギフトカードに印字されている情報に基づいてギフト販売装置にネットワークを介してアクセスし、価値度数に応じた好きな商品を選択し、個人情報を入力することにより注文を行い、後に商品が販売装置側から届けられる。
【０００３】
また、下記特許文献２では、贈呈者が、携帯電話を含む通信端末機を利用して売り主のウエブページにアクセスし、商品を選択して模擬カタログを作成し、受取人の電子メールアドレス等を入力し、売り主のサーバが、贈呈者が選択した商品に関するカタログ・データを受取人に電子メールで通知する。受取人は、通信端末機を利用して電子メール内のリンク先にアクセスし、贈呈者の選択した商品のうち気に入った商品を選定し、そして選定した商品コード名を書き込んで贈呈者（又は売り主のサーバ）へメールを送信することにより商品の注文を行う。また、受取人は、気に入った商品がなかった場合には、その旨を書き込んで贈呈者（又は売り主のサーバ）へメールを送信する。
【特許文献１】特開２００２−１３３１５２号公報
【特許文献２】特開２００２−４１９７８号公報
【発明の開示】
【発明が解決しようとする課題】
【０００４】
しかしながら、上記特許文献１に開示された従来技術においては、贈呈者にとって、販売装置のＵＲＬ、ＩＤ、パスワード、価値度数などの情報が印字されたギフトカードを受取人に郵送しなければならないという煩わしい欠点があった。また、受取人にとっては、ギフト販売装置にアクセスするには、ギフトカードに印字されたサイトのＵＲＬ、ＩＤ、パスワード等をキーボードを操作して入力しなければならないという煩わしさもあった。
【０００５】
また、上記特許文献２に開示された従来技術においては、贈呈者が贈呈をしようとするとき、売り主のサーバが提供する画面において、受取人のメールアドレスを入力しなければならず、そして、売り主がこの贈呈に関する通知を受取人に送るので、贈呈者と受取人との意思疎通が図れないという欠点があった。
【０００６】
従って、本発明は、上記した従来の技術の問題点を解決するために案出されたものであって、贈呈者が心を込めてギフト贈呈意思を自ら受取人に知らせて贈呈を手軽に行うことができるギフト贈呈装置、ギフト贈呈システム及びその方法を提供することを目的とする。
【課題を解決するための手段】
【０００７】
上記の課題を解決するために、本発明に係るギフト贈呈方法（１）は、ギフト商品群の選択及び決済を受け付けるウエブページのデータを贈呈者の第1の情報通信機に送信する第１ステップと、前記贈呈者の前記第1の情報通信機に表示される前記ウエブページを介してギフト商品群の選択及び決済を受け付ける第２ステップと、選択された前記ギフト商品群の中から商品を選べる権利付きＵＲＬを含む第１の電子メールを、前記第1の情報通信機に送信する第３ステップと、前記権利付きＵＲＬで指定されるウエブページが受取人の第２の情報通信機によってアクセスされ、前記ギフト商品群からの所定商品の選択及び該所定商品の届け先の入力を受けて、選択された前記所定商品が前記届け先に発送されることを許可する第４ステップと、を含み、前記権利付きＵＲＬを含む前記第１の電子メールが、前記第1の情報通信機から前記第２の情報通信機に転送されることを特徴としている。
【０００８】
本発明に係るギフト贈呈方法（２）は、上記したギフト贈呈方法（１）において、前記第1の情報通信機が、携帯端末であることを特徴としている。
【０００９】
本発明に係るギフト贈呈方法（３）は、上記したギフト贈呈方法（１）または（２）において、前記受取人の前記届け先の入力を受けて、確認兼商品発送通知の第２の電子メールを前記第1及び第２の情報通信機に送信する第５ステップをさらに含むことを特徴としている。
【００１０】
本発明に係るギフト贈呈方法（４）は、上記したギフト贈呈方法（１）〜（３）のいずれかにおいて、前記贈呈者によって前記ギフト商品群の選択及び決済がなされる際に、前記ギフト商品群に含まれる商品の選択可能期限を設定する第６ステップと、前記選択可能期限が経過する前に前記権利付きＵＲＬで指定されるウエブページがアクセスされたとき、前記ギフト群に含まれる商品の選択を許可し、前記選択可能期限が経過した後に前記権利付きＵＲＬで指定されるウエブページがアクセスされたとき、前記ギフト群に含まれる商品の選択を許可しない第７ステップをさらに含むことを特徴としている。
【００１１】
本発明に係るギフト贈呈方法（５）は、上記したギフト贈呈方法（４）において、前記選択可能期限から所定期間前に、前記贈呈者に前記選択可能期限が近づいていることを知らせる第８ステップをさらに含むことを特徴としている。
【００１２】
本発明に係るギフト贈呈装置（１）は、ギフト商品群の選択、決済、閲覧、及び届け先の入力を受け付けるウエブページのデータを贈呈者の第1の情報通信機及び／又は受取人の第２の情報通信機に送信するホスト手段と、前記贈呈者の前記第1の情報通信機に表示される前記ウエブページを介してギフト商品群の選択及び決済を受けて、選択された前記ギフト商品群の中から商品を選べる権利付きＵＲＬを含む第１の電子メールを、前記第1の情報通信機に送信し、前記権利付きＵＲＬで指定されるウエブページが前記受取人の前記第２の情報通信機によってアクセスされ、前記ギフト商品群の中からの所定商品の選択及び該所定商品の届け先の入力を受けて、確認兼商品発送通知の第２の電子メールを前記第1及び第２の情報通信機に送信する送信手段と、選択された前記所定商品が前記届け先に発送されることを許可する制御手段と、を備え、前記権利付きＵＲＬを含む前記第１の電子メールが、前記第1の情報通信機から前記第２の情報通信機に転送されることを特徴とすることを特徴としている。
【００１３】
本発明に係るギフト贈呈装置（２）は、上記したギフト贈呈装置（１）において、前記第1の情報通信機が、携帯端末であることを特徴としている。
【００１４】
本発明に係るギフト贈呈システム（１）は、贈呈者の第1の情報通信機と、受取人の第２の情報通信機と、ギフト商品群の選択、決済、閲覧、及び届け先の入力を受け付けるウエブページのデータを贈呈者の第1の情報通信機及び／又は受取人の第２の情報通信機に送信するホスト手段、前記贈呈者の前記第1の情報通信機に表示される前記ウエブページを介してギフト商品群の選択及び決済を受けて、選択された前記ギフト商品群の中から商品を選べる権利付きＵＲＬを含む第１の電子メールを、前記第1の情報通信機に送信し、前記権利付きＵＲＬで指定されるウエブページが前記受取人の前記第２の情報通信機によってアクセスされ、前記ギフト商品群の中からの所定商品の選択及び該所定商品の届け先の入力を受けて、確認兼商品発送通知の第２の電子メールを前記第1及び第２の情報通信機に送信する送信手段、及び、選択された前記所定商品が前記届け先に発送されることを許可する制御手段を備えたコンピュータと、を備え、前記権利付きＵＲＬを含む前記第１の電子メールが、前記第1の情報通信機から前記第２の情報通信機に転送されることを特徴としている。
【００１５】
本発明に係るギフト贈呈システム（２）は、上記したギフト贈呈システム（１）において、前記第1の情報通信機が、携帯端末であることを特徴としている。
【発明の効果】
【００１６】
本発明によれば、ギフト券に相当する、商品を選べる権利付きＵＲＬの通知を電子的に実施することにより、紙媒体を一切介さずに迅速な贈呈手続きができるという効果がある。
【００１７】
贈呈者がメッセージを添付して自ら受取人に商品を選べる権利付きＵＲＬを通知するので、受取人との意思疎通を図ることができ、受取人により親しみを感じさせることができ、心のこもった贈呈を行うことができるという効果がある。
【００１８】
なお、受取人の電子メールアドレスさえ分かれば贈呈できるので、より多くの受取人に効率的にギフトを贈ることができるという効果に加えて、受取人の電子メールアドレスが贈呈者の情報通信機に既に記憶されている場合には、贈呈者は、受取人に関する情報を一切入力せずに贈呈を行うことができるという手軽さがある。
【００１９】
特に、携帯端末を用いる場合、場所、時間に依存せずに自由に贈呈することができ、且つ、特定の個人宛に、確実に贈呈することができる。
【００２０】
サービス業者から贈呈の電子メールが送られてきた場合、受取人が警戒し、場合によっては受信拒否されるおそれもあるが、本発明では、知人である贈呈者から直接に贈呈の電子メールが送られるので、受取人によって安心して受信されることができる。
【００２１】
また、従来のギフト券であれば、受取人によって有効に利用されたか否かが不明であるが、本発明ではギフト販売主側から贈呈者に、受取人が商品を選んだことを、電子メールによって連絡するので、贈呈者は、贈呈が無駄にならなかったことを知ることができる。
【００２２】
さらに、受取人への贈呈メールに含まれる、商品選択のためのアクセスページのＵＲＬには、贈呈者との契約毎に一意の情報（複数桁の文字及び数字の組み合わせ）を付し、一度契約で使用された情報を再使用せず、サーバでその情報をチェックするので、被贈呈者になりすましてアクセスすることを防止し、安全にサービスを提供することができる。
【発明を実施するための最良の形態】
【００２３】
以下、図面を参照して、本発明の実施の形態を詳細に説明する。
【００２４】
図１は、本発明の実施の形態に係るギフト贈呈システムを説明するための概念図である。本ギフト贈呈システムは、ギフト販売主側のメールギフト販売装置（以下、単に販売装置とも記す）１、贈呈者側の情報通信機３、受取人側の情報通信機４、並びにそれら３者間の通信網５を備える。
【００２５】
メールギフト販売装置１は、各部を制御し、後述する所定の処理を実行する制御手段１１と、ウエブページをホストするページホスト手段１２、電子メール（以下、単にメールとも記す）を送信する送信手段１３、データベースを記録する記録手段１４、及び各部の間でデータを伝送するためのデータバス１５を備え、通信網５を介して、贈呈者及び受取人の情報通信機と情報を交換するものである。そして、販売主は、メールギフト販売装置１の処理結果に従って、ギフト発送ショップ２によりギフト商品を受取人に発送する。
【００２６】
ここで、記録手段１４は、顧客情報、商品情報、在庫情報、販売情報などを格納するデータベースを有し、制御手段１１や、ページホスト手段１２、送信手段１３と連携して動作する。データベースには、例えば、贈呈者が購入した情報はリアルタイムに書き込まれ、また、制御手段１１は、データベースに格納された販売情報を元にして、商品の発送を許可する手続きなどを開始する。
【００２７】
情報通信機３と情報通信機４は、電子メール機能及びインターネットアクセス機能を有するものであって、本実施の形態では、情報通信機３は、携帯端末であり、例えば、携帯電話やＰＨＳなどがあり、また、情報通信機４は、携帯端末に加えて、パソコンなどをも含む通信機である。なお、以下の説明において、特に断らない限り、贈呈者及び受取人にメールを送信することは、両者のそれぞれの情報通信機にメールを送信することを意味する。
【００２８】
次に、本第１の実施の形態に係るギフト贈呈方法を、図１に示したギフト贈呈システムの動作として、図２のフローチャートを参照して説明する。
【００２９】
ステップＳ０において、贈呈者が携帯端末３を使いメールギフト販売装置１のページホスト手段１２にアクセスして、グリーティングメールギフトサービスを利用する。メールギフト販売装置１のＵＲＬは、口コミやネット検索等を通じて入手されたとする。図３は、アクセスされたグリーティングメールギフトサービスのトップページの一例、即ち携帯端末３の表示画面に表示される情報例を示す図である。
【００３０】
ステップＳ１において、贈呈者がメールギフト販売装置１のガイドに従って、例えば、図４に示すように、まず、贈るギフトのカテゴリーを選択し、そしてコースを選択する。また、このギフト商品群の選択は、携帯端末３の表示画面で商品の画像を見ながら行うこともできる。このようなメールギフト販売装置１及び携帯端末３のような情報機間のウエブページ情報の送受は、携帯端末３で特定のＵＲＬアドレスを指定すると、携帯端末３のウエブブラウザがインターネット上のウエブサーバに相当するページホスト手段１２を探し当てて、目的のホームページ、即ち、該特定のＵＲＬアドレスによって指定される文字及び／又は画像の情報を送信するようページホスト手段１２に要求し、ページホスト手段１２が該目的のホームページのデータを携帯端末３に送信し、携帯端末３の表示画面で表示されることによって実現される。
【００３１】
ステップＳ２において、贈呈者が、例えば図５に示すように、選択したコース内容を確認する。必要な場合には、ステップＳ１に戻って訂正、即ち、再選択を行う。
【００３２】
ステップＳ３において、贈呈者が利用者登録を行って決済方法の選択を行う。利用者登録は、具体的には、例えば図６に示すように自分でログインＩＤ、パスワードを決めて入力し、メールギフト販売装置１のページホスト手段１２へ送信することにより、行われることができる。既に利用者登録された贈呈者は、既存のＩＤ及びパスワードを使用してもよい。
【００３３】
また、決済方法は、図７に示すように、クレジットカード決済やコンビニ決済等から選択することができる。クレジットカード決済の場合、図８に示すように、カードの種類、ナンバー、名義人名前、及び有効期限を入力する。
【００３４】
ステップＳ４において、贈呈者が受取人の名前又は愛称を入れて今回の贈呈のテーマを選択する。テーマとしては、例えば、図９に示すように、誕生日や、入学祝い、引越し祝いなどを選択することができる。また、自由に文字を書き込むこともできる。これにより、後述するように、受取人がメールギフト販売装置１のページホスト手段１２にアクセスする際、快いテーマメッセージを提示することができる。
【００３５】
ステップＳ５において、贈呈者が例えば図１０に示すような最終確認を行ってから、 “決定”をクリックして実質的な決済が行われる。もし、変更したい場合、“戻る”をクリックしてステップＳ１に戻り、やり直すことができる。
【００３６】
ステップＳ６において、メールギフト販売装置１は、ステップＳ５における贈呈者の決定を受けて、好きな商品を選べる権利付きＵＲＬを含む入金確認完了メールを送信手段１３によって贈呈者に送付する。図１１は、このようなメールの一例を示す図である。この例では、好きな商品を選べる権利付きＵＲＬは、“http://mshop.glico.co.jp/?id=123456789”である。即ち、贈呈者がステップＳ１で選択したギフト商品群にはこのＵＲＬ全体を用いてアクセスすることができる。なお、ここでid=123456789は、贈呈者との契約毎に制御手段１１によって付された一意の情報（複数桁の文字及び数字の組み合わせ）であって、一度契約で使用された後は再使用されることはない。本システムでは制御手段１１がその情報をチェックするので、被贈呈者になりすましてアクセスすることを防止し、安全にサービスを提供することができる。
【００３７】
また、権利付きＵＲＬで指定されるページへアクセスするためにパスワードを設ける場合、パスワードは送信手段１３によって別のメールで贈呈者に通知されることができる。
【００３８】
ステップＳ７において、贈呈者が、例えば図１２に示すように、受信した入金確認完了メールに“お誕生日おめでとう！”のような挨拶文やメッセージ等を入れて、この選べる権利付きＵＲＬを含むグリーティングメールを作成して受取人に転送する。この際、受取人の電子メールアドレスがすでに携帯端末３に記憶されている場合には、それを呼び出して利用し、携帯端末３に記憶されていない場合には、受取人の電子メールアドレスを新規のものとして入力する。また、選べる権利付きＵＲＬへアクセスするためにギフト販売装置１がパスワードを設けた場合、ギフト販売装置１より送られてきたパスワードを、グリーティングメールとは別のメールで受取人に転送することもできる。
【００３９】
ステップＳ８において、受取人が、贈呈者の携帯端末３からの、選べる権利付きＵＲＬを含むグリーティングメールを受け取り、メール内に示された選べる権利付きＵＲＬで指定されるページにアクセスする。必要な場合、贈呈者から知らせてもらったパスワードを入力する。図１３は、受取人が好きな商品を選べる権利付きＵＲＬで指定されるページにアクセスしたときに表示される画面の一例を示している。ここで、“△△さん”及び“お誕生日おめでとう！”は、ステップＳ４において贈呈者が書き込んだ文字及び選んだテーマである。
【００４０】
ステップＳ９において、受取人が、図１４、図１５に示すように、メールギフト販売装置１によって提示された商品を閲覧し、自分が好む商品を選択する。
【００４１】
ステップＳ１０において、商品を選択し終わった受取人が、自分の氏名やギフトの配達される届け先を入力する。具体的には、例えば、図１６に示すような画面で氏名、住所、及び電話番号を入力する。
【００４２】
ステップＳ１１において、ギフト販売側は、受取人の商品選択及び届け先に関する情報の入力を受けて、商品選択の確認及び商品発送通知を兼ねた電子メールを贈呈者及び受取人に送付する。
【００４３】
ステップＳ１２において、ギフト販売側は、受取人が選択した商品を届け先に向けて発送する。
【００４４】
このように、本実施の形態に係るギフト贈呈システム及び贈呈方法では、贈呈者が自分の携帯端末を使用してメールギフト販売装置にアクセスし、予算に合わせてギフトコースを注文し、販売装置から受信した、商品が選べる権利付きＵＲＬを含むメールからグリーティングメールを作成して受取人に送信し、そして、受取人がこの選べる権利付きＵＲＬで指定されるページにアクセスして好きな商品を選択して販売主側から発送してもらうことにより、従来は紙のギフト券を用いて行っていた商品の贈呈を、商品を選べる権利の通知として電子的に実施し、紙媒体を一切介さずにギフト贈呈を迅速に行うことができる。また、ギフト贈呈過程において、贈呈者のメッセージを添えたメールが、贈呈者本人から受取人に直接に送られるので、贈呈者と受取人の意志疎通が図られ、ギフト贈呈がより心のこもったものとなる。なお、贈呈者は受取人の電子メールアドレスさえ分かれば贈呈可能なので、より多くの受取人に簡単にギフトを贈ることができる。特に、受取人の電子メールアドレスが既に携帯端末に記録されている場合、贈呈作業は一層手軽になる。
【００４５】
以上では、本発明を具体的な実施の形態によって説明したが、本発明は、決してそれに限定されるものではなく、本発明の趣旨から逸脱しない範囲で種々変更して実現することが可能である。
【００４６】
例えば、図１に示したメールギフト販売装置１を、１台又は複数台のサーバコンピュータを用いて構成することができる。
【００４７】
また、上記ステップＳ３において決済方法としてコンビニ決済を選択した場合には、例えば、贈呈者がコンビニで支払いを済ませてから、もう一度携帯端末３で販売装置にアクセスし、販売装置側が入金を確認したのを受けてからステップＳ４に進むようにすればよい。
【００４８】
また、例えば、上記ステップＳ８において、受取人が権利付きＵＲＬで指定されるページにアクセスする時に、有効期限の確認をするようにしてもよい。即ち、贈呈者がグリーティングメールギフトを購入した時点から引き換え期限（即ち、選択可能期限）を設けることができる。例えば、販売装置１の制御手段１１は引き換え可能期間を６ヶ月とし、これによって決まる末日を引き換え期限として決定し、受取人が権利付きＵＲＬにアクセスした際に、引き換え期限を経過したか否かの確認を行い、期限が過ぎていた場合、アクセスや商品の引き換えを許可しない。さらには、制御手段１１は受取人のアクセスとは無関係にこの期限をモニタし、期限に到達する所定の期間（例えば、１週間）前までに、受取人によるアクセスがなければ、その旨を贈呈者に通知するメールの送信を行うこともできる。その際、引き換え期限が過ぎた場合のギフト商品の取り扱い方について贈呈者に問い合わせるようにしても良い。例えば、注文したギフト商品の代金返済、該ギフト商品の贈呈者本人宛の送付、今後の買い物に使える価値のあるポイントへの変換、或いは別の代替サービスへの切り替え等のオプションを贈呈者に選択させることができる。
【００４９】
さらに、会員登録した贈呈者にカレンダー機能を提供するようにしてもよい。即ち、贈呈者が特定の受取人に季節イベント日（母の日や、クリスマスなど）毎、記念日（誕生日など）毎にギフトを贈りたい場合、販売装置は、贈呈者からそのようなイベント日、記念日の指定を受付けて、データベースに登録し、イベント日、記念日から所定期間（例えば、１ヶ月）前に、贈呈者に、特定の受取人へのギフト贈呈を行う時期である旨を通知するメールを送る。これにより、贈呈者は忘れることなく贈りたいギフトを受取人に贈ることができる。
【００５０】
さらに、贈呈者又は受取人の商品選択の際に、本システムがギフト発送ショップに在庫引き当て、即ち、商品の在庫状況を確認する処理を行い、在庫切れ状態での注文を防ぐようにすることもできる。
【図面の簡単な説明】
【００５１】
【図１】本発明の実施の形態に係るギフト贈呈システムを説明するための概念図である。
【図２】本発明の実施の形態に係るギフト贈呈方法を説明するためのフローチャートである。
【図３】メールギフト販売装置のグリーティングメールギフトサービスのトップページの一例を示図である。
【図４】グリーティングメールギフトサービスのギフトコースを選択する例を示す図である。
【図５】選択したギフトコースを確認するウエブページ例を示す図である。
【図６】利用者として登録するウエブページ例を示す図である。
【図７】決済方法の選択例を示す図である。
【図８】クレジット決済の場合の入力画面の一例を示す図である。
【図９】ギフト贈呈のテーマを選択する画面例を示す図である。
【図１０】贈呈者が注文したギフト贈呈を最終確認する画面例を示す図である。
【図１１】メールギフト販売装置から贈呈者に届いた、商品を選べる権利つきＵＲＬを含むグリーティングメールの例を示す図である。
【図１２】贈呈者が受取人に転送する、商品を選べる権利つきＵＲＬを含むグリーティングメールの例を示す図である。
【図１３】受取人が権利付きＵＲＬにアクセスしたときのウエブページの画面例を示す図である。
【図１４】受取人が商品を選ぶウエブページの画面例を示す図である。
【図１５】受取人が選んだ商品を確認するウエブページの画面例を示す図である。
【図１６】受取人が商品の届け先を入力するウエブページの画面例を示す図である。
【符号の説明】
【００５２】
１  メールギフト販売装置
２  ギフト発送ショップ
３  携帯端末
４  情報通信機
１１    制御手段
１２    ページホスト手段
１３    送信手段
１４    記録手段
１５    データバス
【図１】
2008191744.tif 000003
【図２】
2008191744.tif 000004
【図３】
2008191744.tif 000005
【図４】
2008191744.tif 000006
【図５】
2008191744.tif 000007
【図６】
2008191744.tif 000008
【図７】
2008191744.tif 000009
【図８】
2008191744.tif 000010
【図９】
2008191744.tif 000011
【図１０】
2008191744.tif 000012
【図１１】
2008191744.tif 000013
【図１２】
2008191744.tif 000014
【図１３】
2008191744.tif 000015
【図１４】
2008191744.tif 000016
【図１５】
2008191744.tif 000017
【図１６】
2008191744.tif 000018